(57)【要約】  自動車用ヘッドレストを屈める装置が提供される。この装置は、自動車用ヘッドレストのステイが枢動自在に結合されるハウジングと、ハウジング内に組み込まれてステイおよびヘッドレストを順方向へ付勢するメインバネと、ステイを解除可能に保持するためにハウジングに枢動自在かつ弾性自在に固定される制動部材と、解除手段を有し制動部材の動きを制御するために制動部材に枢動自在かつ弾性自在に結合される抑制部材とを備える。【選択図】図２
2007534554.tif 000002
【特許請求の範囲】
【請求項１】
内部に回動自在に配置されたヘッドレスト２０のステイ２２を有するハウジング１０と、
前記ハウジング１０に設けられて前記ステイ２２を順方向へ付勢するメインバネ５０と、
前記ハウジング１０に弾性的かつ回転自在に固定されて前記ステイ２０を解除可能に保持する制動部材３０と、
前記制動部材３０の動作を制御するために前記制動部材３０と弾性的かつ回転自在に係合され解除手段を有する抑制部材４０と、
を備える自動車用ヘッドレストを屈める装置。
【請求項２】
前記ステイ２２は、上部に取り付けられたヘッドレスト２０の頭部支持部材２１と平行な垂直部２２１と、前記垂直部の下端を接続する水平部２２２と、軸孔２３１をそれぞれ有し前記水平部２２２の前面に別々に固定された一対のヒンジ片２３とを備え、
前記ハウジング１０は、上面と後壁を持たず２つの側壁１１と前壁１５ｂを持つボックス型であり、前記側壁１１は、幅広の上部と幅狭の下部を持つ一対の対向する案内溝１２と、前記ステイ２２の前記軸孔２３１と整列されるヒンジ孔１３とを備えており、前記前壁１５ｂは前記前壁の内面に取り付けられたブラケット１０ａを有する前記側壁１１の間にあり、前記ステイ２２の前記水平部２２２が前記案内溝に収容されて回動され、前記ブラケットが、前記案内溝１２の下部と整列される収容溝１７を有し、
前記メインバネ５０は、前記ステイ２２を回動して前方に屈める弾性力を作用させるために、前記ハウジング１０の前記ヒンジ孔１３のうちの１つを使用して前記ハウジング１０に引っ掛けられ、
前記制動部材３０は、その上部と下部に保持溝３２と保持突起３４をそれぞれ有し、前記ブラケット１０ａに回転自在に取り付けられて前記メインバネ５０の弾性力の方向と反対方向へ弾性力を及ぼす保持バネ３５により弾性的に支持されている間に前記保持溝３２が前記案内溝１２と整列されるようにし、
前記抑制部材４０は、次々に形成されて段部を画定する第１の顎４２と第２の顎４３を有し、前記ステイ２２が直立状態または屈まされた状態である時に何れか一方が前記保持突起３４と係合するようにし、前記抑制部材は、前記抑制部材が前記保持バネ３５の弾性力の方向と反対方向へ弾性力を及ぼす抑制バネ４５によって弾性的に支持されている間に、前記ブラケット１０ａに回転自在に取り付けられて前記制動部材３０に係合される請求項１に記載の装置。
【請求項３】
前記ステイ２２は、上部に取り付けられたヘッドレスト２０の頭部支持部材２１と平行な垂直部２２１と、前記垂直部２２２の下端を接続する水平部２２２と、軸孔２３１をそれぞれ有し前記水平部２２２の前面に離れて固定された一対のヒンジ片２３とを備え、
前記ハウジング１０は、上面と後壁を持たず２つの側壁１１と前壁１５ｂを持つボックス型であり、前記側壁１１は、幅広の上部と幅狭の下部を持つ一対の対向する案内溝１２と、前記ステイ２２の前記軸孔２３１と整列されるヒンジ孔１３とを有しており、前記前壁１５ｂは前記側壁１１の間にあり、前記ステイ２２の前記水平部２２２が前記案内溝に収容されて回動され、
前記メインバネ５０は、前記ステイ２２を回動して前方に屈める弾性力を作用させるために、前記ハウジングの前記ヒンジ孔１３のうちの１つを使用して前記ハウジング１０に引っ掛けられ、
前記制動部材３０は、上部と下部に形成された保持溝３２と保持突起３４をそれぞれ有し、前記側壁１１のうちの１つの内面に回転自在に取り付けられて前記メインバネ５０の弾性力の方向と反対方向へ弾性力を及ぼす保持バネ３５により弾力的に支持され手いる間に前記保持溝３２が前記案内溝１２と整列されるようにし、
前記抑制部材４０は、次々に形成されて段部を画定する第１の顎４２と第２の顎４３を有しており、前記ステイ２２が直立状態または屈まされた状態である時に何れか一方が前記保持突起３４と係合するようにし、前記抑制部材が前記保持バネ３５の弾性力の方向と反対方向へ弾性力を及ぼす抑制バネ４５によって弾性的に支持されている間に、前記抑制部材が側壁の一方の内面に回転自在に取り付けられて前記制動部材３０に係合される請求項１に記載の装置。
【請求項４】
前記ステイ２２は、上部に取り付けられるヘッドレスト２０の頭部支持部材２１と平行な垂直部２２１と、前記垂直部の下端を接続する水平部２２２と、軸孔２３１をそれぞれ有し前記水平部２２２の前面に離れて固定された一対のヒンジ片２３とを備え、
前記ハウジング１０は、上面と後壁を持たず２つの側壁１１と前壁１５を持つボックス型であり、前記側壁１１は、幅広の上部と幅狭の下部を持つ一対の対向する案内溝１２と、前記ステイ２２の前記水平部２２２と整列されるヒンジ孔１３とを有しており、前記前壁１５ｂは前記前壁の内面に取り付けられたブラケット１０ａを持つ前記側壁１１の間にあり、前記ステイ２２の前記水平部２２２は前記案内溝に収容されて回動され、前記ブラケットは前記案内溝１２の下部と整列される収容溝１７を有し、
前記メインバネ５０は、前記ステイ２２を回動して前方へ屈める弾性力を作用させるために、前記ハウジング１０の前記ヒンジ孔１３のうちの１つを使用して前記ハウジング１０に引っ掛けられ、
前記制動部材３０は、その上部に保持溝３２とその下部にロック凹部３４ａとを有し、前記ブラケット１０ａに回転自在に取り付けられて前記保持溝３２が前記収容溝１７と整列されるようにし、
前記抑制部材４０は、前記制動部材３０の前記ロック凹部３４ａに結合される顎４２ａを有し、前記ブラケット１０ａに回転自在に取り付けられて前記制動部材３０と対向するとともに係合され、
コイルバネ７０は、前記制動部材３０と前記抑制部材４０のそれぞれの下端の間に引っ掛けられて前記制動部材３０と前記抑制部材４０を弾性的に支持する請求項１に記載の装置。
【請求項５】
前記ステイ２２は、上部に取り付けられたヘッドレスト２０の頭部支持部材２１に平行な垂直部２２１と、前記垂直部の下端を接続する水平部２２２と、軸孔をそれぞれ有して前記水平部２２２の前面に離れて固定された一対のヒンジ片２３とを備え、
前記ハウジング１０は、上面と後壁を持たず２つの側壁１１と前壁１５ｂを持つボックス型であり、前記側壁１１は、幅広の上部と幅狭の下部を持つ一対の対抗する案内溝１２と、前記ステイ２２の前記軸孔２３１と整列されるヒンジ孔１３とを有しており、前記前壁１５ｂは前記側壁１１の間にあり、前記ステイ２２の前記水平部２２２は前記案内溝に収容されて回動され、
前記メインバネ５０は、前記ステイ２２を回動して前方へ屈ませる弾性力を作用させるために、前記ハウジング１０の前記ヒンジ孔１３のうちの１つを使用して前記ハウジング１０に引っ掛けられ、
前記制動部材３０は、その上部に保持溝３２とその下部のロック凹部３４ａとを有し、前記側壁１１のうちの１つの内面に回転自在に取り付けられて前記保持溝３２が前記案内溝１２と整列されるようにし、
前記抑制部材４０は、前記制動部材３０の前記ロック凹部３４ａに係合される顎４２ａを有し、前記側壁１１のうちの１つの内面に回転自在に取り付けられて前記制動部材３０と対向するとともに係合され、
コイルバネ７０は、前記制動部材３０および前記抑制部材４０の下端の間で引っ掛けられて前記制動部材３０と前記抑制部材４０を弾性的に持する請求項１に記載の装置。
【請求項６】
前記ステイ２２は、単一体として形成された平行な垂直部２２１と下方の水平部２２２とを備える請求項１〜５のいずれか一項に記載の装置。
【請求項７】
前記ステイ２２は、垂直に上下されるようにスリーブハウジング６１内に摺動自在に結合された平行な垂直部２２１を備えており、前記スリーブハウジングは、車両用シートの背もたれに配置されたハウジングケースと、前記ハウジングケース６０に固定される両端を持つ下方の水平部２２２とに垂直に装着され、前記水平部が前記垂直部から離間して形成される請求項１〜５のいずれかに一項に記載の装置。
【請求項８】
前記ハウジング１０の前記前壁の内面には揺動防止ブラケット１０ｂが設けられて前記ヘッドレスト２０が直立状態である時に前記ステイ２２の前記水平部２２２を支持する請求項１、３または５に記載の装置。
【請求項９】
前記揺動防止ブラケット１０ｂの上面には弾性部材１０１が設けられる請求項８に記載の装置。
【請求項１０】
前記弾性部材１０１は、ラバー、合成ラバー、およびバネからなるグループから選択された１つよりなる請求項９に記載の装置。
【発明の詳細な説明】
【技術分野】
【０００１】
本発明は、自動車用ヘッドレストを屈める装置に関し、より詳しくは、車両の内部に貨物を積載する特別な空間を設けるために、折り畳み式背もたれとともに使用され自動車用ヘッドレストを背もたれに屈めさせる装置に関する。
【背景技術】
【０００２】
一般に、多数人乗りのバンは３列または４列のシートを有し、各列には座ることができる３シートが与えられている。貨物などを積むための空間を確保するために、バンのリアシートは、その背もたれがシートクッションの上で折りたたまれてもよいしまたは全てのシートが自動車の床から一時的に取り外されてもよいように設計されている。
【０００３】
しかしながら、バンの狭い空間によって、多くの場合にはフロントシートの背もたれの背面にぶつけられずに背もたれをシートクッションの上で折りたたむことができず、ヘッドレストを背もたれの上面から移動させることを必要としている。
【０００４】
そのように取り外されたヘッドレストは、車内に不注意に置かれたりするとともに、不適切な取り扱いによって頻繁に汚され、損傷され、または失わたりすることがある。
【０００５】
また、背もたれが折りたたまれまたは直立姿勢に戻されるたびに、ヘッドレストが取り外されまたは取り付けたりしなければならないという、面倒で不便な問題点がある。
【発明の開示】
【発明が解決しようとする課題】
【０００６】
本発明は、上述のような従来技術の問題点を解決するためになされたものである。本発明の目的は、自動車用シートの背もたれにヘッドレストを屈ませる装置を提供するものであり、背もたれを折曲する元々の位置からヘッドレストが移動させられることを必要とせずに特別な貨物空間を設けるためにヘッドレストが容易に屈められ、それによってヘッドレストが損傷または紛失されるのを防止することができる。
【課題を解決するための手段】
【０００７】
本発明は、上記目的を達成するために、自動車用ヘッドレストのステイが枢動自在に結合されたハウジングと、ステイおよびヘッドレストを順方向へ付勢するためにハウジング内に組み込まれたメインスプリングと、ステイを解除可能に保持するために回転自在かつ弾性的にハウジングに固定された制動部材と、解除手段を有し制動部材に回転自在かつ弾性的に結合された抑制手段とを備える、自動車用ヘッドレストを屈める装置を提供する。
【発明の効果】
【０００８】
本発明による自動車用ヘッドレストを屈める装置では、リアシートの背もたれに装着されたヘッドレストは、背もたれが折りたたまれる時に、背もたれの上で屈まされる。従って，フロントシートの背もたれの背面にヘッドレストがぶつけられずに、リアシートの背もたれをシートクッションの上で折りたたむことができる。
【０００９】
以下、本発明は好適な実施形態に関して添付図面に基づいて詳しく説明されるだろう。
【発明を実施するための最良の形態】
【００１０】
本発明の一態様によれば、自動車用ヘッドレストを屈める装置が提供され、その装置においては、ステイが、ヘッドレストの頭部支持部材を取り付けるための上部を持つ２つの垂直部と、垂直部の下端に接続する水平部と、水平部の前面に離れて固定される後端を持つ軸孔をそれぞれ有する一対のヒンジ片とを備え；ハウジングは、上面と後壁を持たず一対の側壁と前壁を持つボックス型であり、一対の側壁は、幅狭の下部と上向きに幅広の上部を持ちステイの水平部が内部に収容されて回動されるのを許容する一対の対向する案内溝と、ステイの対応する軸孔と整列する一対のヒンジ孔とを有しており、前壁は、内面に取り付けられ案内溝と整列する収容溝と一緒に形成されたブラケットを有する側壁の間にあり；メインバネは、ステイを順方向へ回動する弾性力を作用させるために、軸ピンをハウジングのヒンジ孔に固定した状態でハウジングの側壁のうちの１つの内面に引っ掛けられ；制動部材は、その上部と前方の下部とでのそれぞれの保持溝と保持突起と一緒に形成され、軸ピンによってブラケットに回転自在に結合されてメインバネの弾性力の方向と反対方向へ弾性力を及ぼす保持バネによって付勢され；抑制部材は、その上部と下部に形成されて段部を画定する第１および第２の顎を有し、ステイが直立状態および屈まされた状態の時に両顎が保持突起と係合するようにし、保持バネの弾性力の方向と反対方向へ弾性力を及ぼす抑制バネによって抑制部材の一側が弾性的に支持されている間に制動部材に係合される軸ピンを持つブラケットに固定される。
【００１１】
上記の自動車用ヘッドレストを屈める装置では、制動部材と抑制部材は、前壁に取り付けられたブラケットよりもむしろ何れかの側壁の内面に軸ピンと共に固定されてもよい。
【００１２】
本発明の他の態様によれば、自動車用ヘッドレストを屈める装置が提供され、その装置においては、ステイは、ヘッドレストの頭部支持部材を取り付けるための上部を持つ２つの垂直部と、垂直部の下端を接続する水平部と、水平部の前面に離れて固定される後端をそれぞれ有する一対のヒンジ片とを備え；ハウジングは、上面と後壁を持たず一対の側壁と前壁を持つボックス型であり、一対の側壁は、幅狭の下部と広い上部を持ちステイの水平部が内部に収容されて回動されるのを許容する一対の対向する案内溝と、ステイの対応する軸孔と整列する一対のヒンジ孔とを有しており、前壁は側壁の間にあり；メインバネは、ステイを順方向に回動する弾性力を作用させるために、軸孔をステイのヒンジ孔に固定された状態でハウジングの側壁の一方の内面に引っ掛けられ；上側と下側に隣接して形成された保持溝とロック凹部を持つ制動部材は、側壁の他方の内面に軸ピンで固定されて保持溝が案内溝と整列するようにし；制動部材のロック凹部に係合された顎と一緒に形成される抑制部材は、側壁の他方の内面に軸ピンにより固定されて制動部材に対向するとともに係合され；コイルバネは、制動部材および抑制部材の下部の間に引っ掛けられて制動部材と抑制部材を弾性的に支持する。
【００１３】
上記の自動車用ヘッドレストを屈める装置は、制動部材と抑制部材が、側壁の１つの内面よりもむしろ前壁に取り付けられたブラケットに軸ピンにより固定されてもよい。
【００１４】
（実施の形態）
以下、添付の図面を参照して本発明の実施形態に係る、自動車用ヘッドレストを屈める装置を詳細に説明する。
【００１５】
図１は、本発明の第１実施形態に係る、自動車用ヘッドレストを屈める装置が適用される自動車用シートの例を概略的に示す側面図であり、図２は、本発明の第１実施形態に係る、自動車用ヘッドレストを屈める装置の分解斜視図であり、図３は、図２の自動車用ヘッドレストを屈める装置のハウジングの拡大斜視図であり、図４は、図２の自動車用ヘッドレストを屈める装置の制動部材およびチェック部材を拡大斜視図であり、図５は、図２の自動車用ヘッドレストを屈める装置を示す背面図であり、図６〜図９は、図２の自動車用ヘッドレストを屈める装置の動作を示す側面図である。
【００１６】
本発明の第１実施形態に係る、自動車用ヘッドレストを屈める装置は、自動車用シート１の背もたれ１ａに固定され後板の上部に装着されるハウジング１０と、ハウジングに枢動自在に固定されたヘッドレスト２０のステイ２２と、ハウジングの前壁の内面に取り付けられたブラケット１０ａの上部に回転自在に結合されてステイ２２の水平部２２２を収容し保持バネ３５を有する制動部材３０と、ブラケットの下部に回転自在に結合され保持バネ３５の弾性力の方向と反対方向へ弾性力を及ぼす抑制バネ４６を有してステイ２２の水平部を保持する制動部材が保持バネ３５の弾性力により回動されるのを防止する抑制部材４０と、ステイ２２に弾性的に組み込まれてヘッドレストを順方向に回動するために弾性力を及ぼすメインバネ５０とを備える。
【００１７】
ハウジング１０は、上面と後壁を持たないボックス型で設けられている。ハウジングの両方の側壁１１は、上方に広がった上部を有して対向する案内溝１２とともに形成されている。案内溝の下部の前方にはヒンジ孔１３が各々形成されている。側壁の一方にある案内溝１２の下には吊り孔１４が形成され、底部１５ｂの後端には開口１６が形成されている。
【００１８】
ハウジング１０の前壁１５ａにはその中間部を垂直に横切るようにブラケット１０ａが取り付けられている。このブラケットの上側中間部には案内溝１２と整列するように収容溝１７が形成されている。ブラケットの収容溝の下には固定孔１８、１８′と吊り孔１９とが形成されており、ブラケットの下端の前方部には吊り凹部１９′が形成されている。
【００１９】
案内溝１２のそれぞれは、その上部がヒンジ孔１３の上方で上向きに幅広の部分を備え下部よりも広い幅を有するように形成されている。このために、案内溝の後端１２１は垂直に形成されているのに対し、上方の前端１２２と上方の後端との間の距離Ｌは、ステイ２２の水平部の直径に一致するように形成された下部の間の間隔Ｌ′より大きい。前端の上部および下部は、湾曲された中間部ｒにより連結されている。
【００２０】
このようにすることにより、以下に後述されるように、ヘッドレスト２０が垂直状態から水平状態に回動されると、すなわちヘッドレストが９０°まで屈まされると、ステイ２２の水平部２２２が案内溝の前端１２２の上部によって捕獲され、そのためステイ２２の水平部２２２がさらに回動されるのが防止される。
【００２１】
ヘッドレスト２０は、発泡物で充填された頭部支持部材２１と、上端部が頭部支持部材に取り付けられ下方の水平部２２２がハウジング１０に枢動自在に結合される垂直部２２１を備えるステイ２２とからなる。垂直部２２１の上端部は、背もたれ１ａの上面から延びてその上に露出される。垂直部の上端間には、頭部支持部材２１の固定板２２３は、従来技術において公知であるように、垂直部の上部を横切ってしっかりと取り付けられる。
【００２２】
水平部２２２の両側には、軸孔２３１を有するヒンジ片２３がしっかりと取り付けられている。この軸孔は側壁１１の外側でヒンジ孔１３と整列してヒンジピン２４、２４′を収容する。
【００２３】
したがって、ステイ２２は、ハウジング１０に固定されてヒンジ片２３の軸孔２３１とハウジング１０のヒンジ孔１３とに固定されたヒンジピン２４、２４′を支点に回転する。ステイが直立姿勢であると、水平部２２２は案内溝１２と収容溝１７との下部に収容され位置決めされる。
【００２４】
このような状態で、ヘッドレスト２０がヒンジピン２４、２４′を支点に前方へすなわち図２の時計方向へ回転されると、水平部２２２は、案内溝１２と収容溝１７との下部を離れるように持ち上げられる。水平部が前端１２２の上部に接触され引っ掛けられると、水平部はこれ以上回転できずヘッドレストは水平状態に置かれ維持される。
【００２５】
一方、メインバネ５０は、側壁１１の一方の孔１３に固定されるヒンジピン２４に巻き付けられる。このメインバネの湾曲端５１はステイの水平部２２２に引っ掛けられ、その他端５２はハウジング１０の側壁１１の一方に形成された吊り孔１４に固定される。
【００２６】
したがって、メインバネ５０の弾性力は、ステイ２２がヒンジピン２４を支点として前方へすなわち図２の反時計方向へ回転されるように水平部２２２に及ぼされる。これにより、ヘッドレスト２０を垂直状態から水平状態へ屈めることができる。
【００２７】
中心に軸孔３１を有する制動部材３０は、ブラケット１０ａの収容溝１７と整列するように保持溝３２を設けられている。溝３２を形成する２つの端部のうち一方は二度すなわち外側および内側に曲げられて保持孔を設けられた吊り片３３を形成しその部材に「Ｕ」形状を持たせ、そして、保持突起３４が制動部材の前方の下部に形成される。
【００２８】
制動部材３０は保持軸３０ａによってブラケットに回転自在に結合され、その保持軸の一端は軸孔３１に挿入されブラケット１０ａの固定孔１８にしっかりと結合される。
【００２９】
保持バネ３５は、その一端３５１を保持片３３に形成された吊り孔に挿入するととともにその他端をブラケット１０ａの吊り孔１９ａに引っ掛けられた状態で、保持軸３０ａに巻き付けられる。
【００３０】
このような構成で、保持バネ３５の弾性力は制動部材３０をヘッドレスト２０の後方へすなわち図２の時計方向へ付勢するために及ぼされる。しかしながら、保持バネが圧縮状態でありステイ２２の水平部２２２が制動部材の傾斜した保持溝とブラケット１０ａの収容溝１７との中に未だに引き止められているので、ヘッドレストは垂直状態に維持される。保持バネの反発力が制動部材を時計方向へ回転させるために及ぼされると、保持溝は傾斜状態から直立に回転しステイの水平部がメインバネ５０と協働して案内溝１２及び収容溝１７から離脱するのを助ける。
【００３１】
抑制部材４０は板体からなり軸４０ａと一緒に制動部材の下に置かれるようにブラケット１０ａの内面に回転自在に固定され、その軸４０ａの前端は抑制部材の前端に形成された軸孔４１を介して挿入された後に固定孔１８にしっかりと係合される。
【００３２】
抑制部材の上面の後端には制動部材３０の保持突起３４と係合する第１の顎４２が形成され、第２の顎４３は第１の顎と一緒に段をなすように第１の顎の前に形成される。抑制部材４０にはその後端に結束片４５がさらに設けられおり、抑制部材４０を下に引っ張って時計方向へ回転させることにより解除制御手段としてのワイヤー４０ｂの一端が結束片に固定されるようにしている。また、抑制部材は、第２の顎の近傍に吊り孔４４とともに形成される。解除ワイヤー４０ｂは、ハウジング１０の底部１５ｂに形成された開口１６を通過し、その他端はレバー（図示せず）に結合されており、そのレバーは背もたれの一側面に設けられてシートクッションとの固定状態から背もたれ１ａを解除するとともにシートクッション上で背もたれを折曲するために使用される。
【００３３】
このレバーが操作されると、シートクッションとの背もたれの固定状態が解除され解除ワイヤー４０ｂもまた引っ張られ、抑制部材４０を時計方向へ回転させるようにする。
【００３４】
抑制部材４０の時計方向への回転に要する時間は、保持突起３４が第１の顎４２から離脱され第２の顎４３に引っ掛けられる程度まで判断される。保持突起が第２の顎に引っ掛けられると、制動部材はこれ以上の回転を防止される。
【００３５】
すなわち、制動部材３０の回転は、保持突起３４が第１および第２の顎４２、４３のいずれか１つに引っ掛けられる位置で停止される。
【００３６】
抑制バネ４６は軸４０ａの周囲に嵌合された圧縮状態であり、その一端４６１は吊り孔４４に吊り下げられ、その他端４６２はブラケット１０ａの吊り溝１９′に引っ掛けられる。
【００３７】
このような構成により、圧縮された抑制バネ４６の反発力は、制動部材３０に及ぼされる弾性力の方向と反対方向へ抑制部材４０に及ぼされる。しかしながら、抑制部材および制動部材が反時計方向および時計方向へそれぞれ回転するのが防止されるので、制動部材の保持突起が第１の顎４２に引っ掛けられた状態でステイ２２が図６で示されるヘッドレストと一緒に直立状態に維持される。
【００３８】
解除ワイヤー４０ｂが引っ張られ抑制部材４０が時計方向へ回転されると、第２の顎４２と保持突起３４との協働によって制動部材３０がその後に時計方向へ回転される。制動部材の保持溝３２は、ブラケット１０ａの収容溝１７に対して斜めに位置決めされてステイ２２の水平部２２２が持ち上げられるのを防止し、直立に回転されて収容溝１７と整列させられ、それによってステイ２２の水平部を制動状態から解除する。圧縮されたメインバネ５０の反発力の作用と制動部材の押圧力とにより、それに結合されたステイ２２およびヘッドレスト２０がピン２４を支点として回転され、ステイの水平部が収容溝と保持溝から持ち上げられるようにしている（図７および図８を参照）。
【００３９】
ステイ２２とヘッドレスト２０は、メインバネ５０の弾性力により図９で示される位置までさらに回転される。このようにして、ヘッドレストは垂直状態から水平状態へ屈まされる。
【００４０】
ヘッドレスト２０の回転は水平に屈まされた状態で停止される。その理由は、ステイ２２の水平部２２２が両側壁１１に形成された案内溝１２の前端１２２の上部により制限されるからである。保持突起３４が第２の顎４３に引っ掛けられると、制動部材３０と抑制部材４０の回転もまた停止される。
【００４１】
ヘッドレスト２０を直立状態から水平状態に屈ませるのに要する時間は非常に短くなるべき、すなわち、ヘッドレストを屈ませることは、ヘッドレストがフロントシートの背もたれの上端に到達する前に達成されるべきである。ヘッドレストが背もたれ１ａの上で既に屈まされているので、ヘッドレストによって阻害されることなく背もたれをシートクッション１ｂ上で折曲することができる。
【００４２】
一方、折曲された背もたれ１ａを直立状態に戻した後に、ヘッドレスト２０は、背もたれの上面で水平に屈まされた状態のままであり手動でセットアップされる。
【００４３】
ヒンジピン２４を支点として時計方向へ回転するためにステイ２２が押し上げられると、メインバネ５０が圧縮され、水平部２２２が保持溝１７に入り保持溝３２を下向きに押圧する。したがって、制動部材３０は反時計方向に回転され、また保持バネ３５が圧縮される。
【００４４】
このような動作は、保持溝３２の下部が収容溝１７に整列されるまで保たれる。収容溝との保持溝の整列が終了すると、制動部材３０は反時計方向へ回転するのが防止され、水平部の中間部分は、収容溝１７とそれに対して若干傾斜した保持溝３２との範囲内で位置決めされ、水平部の両側部分は、案内溝１２の狭い下部の範囲内に位置決めされる。
【００４５】
一方、制動部材３０が反時計方向に回転されると、保持突起３４が抑制部材４０の第２の顎４３から隔離される。それから、抑制部材は、引っ張られるワイヤー４０ｂにより抑制部材の時計方向の回転によって圧縮されていた抑制バネ４６の弾性力を使って反時計方向に回転される。
【００４６】
第１の顎４２によって保持突起３４が引っ掛けられるまで、抑制部材４０と制動部材３０との反時計方向の回転が継続され、それによって、抑制部材４０と制動部材３０との堅固な係合がもたらされる。このため、両部材はさらに反時計方向へ回転することができず、ステイ２２の垂直部が図６で示されるような直立姿勢に戻されて維持される。
【００４７】
ヘッドレスト２０はステイ２２と一緒に直立姿勢に保たれる。その理由は、制動部材３０の保持突起３４が、抑制バネ４６の回転方向と反対方向へ抑制バネ４６の弾性力によって回転するように付勢される抑制部材４０の第１の顎４２により引っ掛けられるからである。突起および顎がそのような係合から解除されない場合には、たとえメインバネ５０の弾性力が保持バネ３５の弾性力より大きくても、ヘッドレストは直立姿勢のままである。
【００４８】
言い換えれば、ヘッドレスト２０がメインバネ５０の反発力により反時計方向に回転させられたとしても、制動部材３０に係合された抑制部材４０によりヘッドレストの回転が防止される。このように、抑制部材４０によって制動部材３０が保持されている状態に関する限りでは、ヘッドレストは回転しないように固定される。
【００４９】
本発明の第１実施形態による、自動車用ヘッドレストを屈める装置では、制動部材と抑制部材がブラケット１０ａに回転自在に結合されている。しかしながら、その代替として、それらは、ブラケット１０ａを省略した状態で、ハウジングの２つの側壁のうち一方に取り付けられてもよい（後述する第３実施形態を参照）。
【００５０】
図１０及び図１１は、本発明の第１実施形態の変形例による、自動車用ヘッドレストを屈める装置の背面図である。
【００５１】
この変形例は、ヘッドレスト２０の頭部支持部材２１が、垂直部２２１とその下方の水平部２２２とが単一体として形成されている第１実施形態のステイ２２の変形構造によって下げられてもおよび上げられてもよいことを特徴する。
【００５２】
この例のステイ２２は、垂直部２２１とその下方の水平部２２２とを有し、それらは相互に離間して形成される。垂直部の下端は、背もたれ１ａの上端に組み込まれたハウジングケース６０に垂直に装着されるスリーブハウジング６１に対応するように結合される。水平部の両端は、ハウジングケースの外面に溶接により固定される。
【００５３】
ステイ２２が垂直に上下されるようにスリーブハウジング６１に結合されているので、ヘッドレスト２０の高さは調節可能である。
【００５４】
図１２は、本発明の第２実施形態による、自動車用ヘッドレストを屈める装置の要部の分解斜視図であり、図１３乃至図１５は、異なる作動状態での装置の側面図である。
【００５５】
第２実施形態による、自動車用ヘッドレストを屈める装置の基本構造は、制動部材が保持バネ３５の弾性力により時計方向に回転されるように配列置され、抑制部材４０が抑制バネ４６の弾性力により反時計方向に回転されるように配置され、２つの部材がこれらのバネにより順次に作動されるようにするようにした第１実施形態の構造とは違って、制動部材と抑制部材が１つのコイルバネ７０により相互に協働するように配列されていることを除いて、第１実施形態例と殆ど同じである。
【００５６】
１つのコイルバネ７０により協働するように制動部材および抑制部材が配列されるので、バネの個数と装置の組立工数とが減少されるとともに制動部材３０および抑制部材４０が単一体のように作動されるという利点がある。
【００５７】
制動部材３０と抑制部材４０は、第１実施形態としての上述のものよりもむしろ、相互に対向するように配列される。制動部材３０は、制動部材の中心での軸孔３１を介して軸３０ａによりブラケット１０ａに結合される。抑誠部材は、抑制部材の上端の軸孔４１を介して軸４０ａによりブラケット１０ａに回転自在に固定される。同時に、コイルバネ７０の一端７１と他端７２とは、制動部材と抑制部材の下端にそれぞれ引っ掛けられる。
【００５８】
このような構造により、制動部材３０および抑制部材４０の下端は、コイルバネ７０の弾性力により相互に向けて引っ張られる。こうして、コイルバネの弾性力は、制動部材および抑制部材を反時計方向および時計方向にそれぞれ回転するように及ぼされる。
【００５９】
制動部材３０が反時計方向に回転されると、保持溝３２は上向きに開くように形成され、保持溝の下にはロック凹部３４ａが形成される。顎４２ａは、ロック凹部に引っ掛けられるように、抑制部材４０の前方の中間部から突出するように形成される。
【００６０】
抑制部材４０の下端には、抑制部材を引っ張って反時計方向に回転させるための解除ワイヤー４０ｂの一端が固定される。このワイヤーと、それと関連した構成要素と、その動作とは、第１実施形態と同じである。
【００６１】
上述のように構成された第２実施形態による、自動車用ヘッドレストを屈める装置では、背もたれに屈んだ状態のヘッドレスト２０が直立姿勢まで押し上げられると、ステイ２２の下方の水平部２２２がヒンジピン２４を支点として時計方向に回転され、保持溝３２の底面を押圧する。したがって、制動部材３０が時計方向に回転され、これにより、保持溝３２が案内溝の下部と直交して置かれ、案内溝内には水平部が置かれる。それから、抑制部材４０の顎４２ａがコイルバネ７０の弾性力によりロック凹部３４ａに進入して係合させられ、制動部材と抑制部材の回転が停止されてヘッドレストを直立状態に保たれるようにする。その結果としてメインバネ５０は、ステイ２２の時計方向の回転により、増大する反発力を持つように圧縮される。
【００６２】
この状態では、ステイの反時計方向の回転作用が、制動部材３０および抑制部材４０の係合により阻止される。その理由は、圧縮されたメインバネ５０の反発力が上述の係合によって水平部２２２に及ぼされるのが阻止されてステイ２２を反時計方向へ回転させるからである。こうして、ステイの水平部が保持溝３２から離脱できず、ヘッドレスト２０は、２つの部材が上述のように相互に係合されている限りでは、直立姿勢で静止させる（図１３参照）。
【００６３】
解除ワイヤー４０ｂと抑制部材４０の下端とが横方向へ引っ張られると、抑制部材が反時計方向へ回転され、制動部材３０を抑制部材との係合から解除させる。抑制部材が反時計方向へ回転させられるにつれて伸びるコイルバネ７０の反発力が、制動部材の下端を引っ張るように及ぼされ、制動部材がその保持溝３２を上向きに回転させた状態で反時計方向に回転されてもよい（図１４参照）。
【００６４】
このように保持溝３２を上向き回転させた状態で、水平部２２２が制動状態から解除され、圧縮されたメインバネ５０の弾性力がステイ２２を反時計方向に回転させるために作用される。これにより、水平部は保持溝から離脱し、同時に、ヘッドレスト２０は、図１５で示されるような水平状態に屈まされ、ヘッドレストによって阻害されることなくシートクッションの上でシートの背もたれが折曲されてもよい。
【００６５】
他方、背もたれ１ａは、屈まされたヘッドレスト２０との折曲姿勢から直立姿勢まで手動で戻され、屈まされたヘッドレストもまた手動で開かされる必要がある。ヘッドレストが手動で上向きに開かされると、ステイ２２がヒンジピン２４を支点として時計方向に回転され、メインバネ５０を圧縮させて保持溝３２の底面を押圧させ、水平部２２２が保持溝と案内溝１２とに進入するために下がるようにする。
【００６６】
これにより、制動部材３０が時計方向に回転し、その下方の顎を保持溝の下にさせて顎４２ａに沿って進み顎４２ａを押し下げ、抑制部材４０が反時計方向に回転されるようにする。下方の顎が抑制部材の顎の前端を横切るとすぐに、制動部材と抑制部材の回転により反対方向へ及ぼされるコイルバネ７０の弾性力が、抑制部材を時計方向に回転させ顎４２ａを制動部材のロック凹部３４ａに進入させて係合させるように作用され、制動部材および抑制部材をさらに回転させないようにする。その後に、ヘッドレスト２０は、図１３で示されるようなステイ２２と共に垂直状態で静止させるようにする。
【００６７】
このように作動される制動部材３０と抑制部材４０は、第１実施形態におけるハウジングの前壁１５ａに取り付けられたブラケット１０ａに結合されてもよいし、または、ブラケットを使用せずにハウジング１０の側壁１１のうちの一方の内面に直接結合してもよい（後述される第３実施形態を参照）。
【００６８】
図１６は、本発明の第３実施形態による、自動車用ヘッドレストを屈める装置の斜視図であり、図１７及び図１８は、図１６で示される、自動車用ヘッドレストを屈める装置の動作を示す側面図である。
【００６９】
本発明の第３実施形態は、ステイ２２の水平部２２２を内部に保持するための制動部材３０と、制動部材が回転されるのを解除可能に防止するための抑制部材４０とがハウジング１０の側壁１１のうちの一方の内面に結合されるとともに、揺動防止ブラケット１０ｂがハウジングの前壁１５ａの内面に設けられていることを特徴とする。
【００７０】
以下では、このように揺動防止ブラケット１０ｂを設ける理由が説明される。
【００７１】
第１、第２実施形態による、自動車用ヘッドレストを屈める装置では、ヘッドレスト２０のステイ２２が、ヒンジ孔１３とヒンジ片２３とに挿入されるヒンジピン２４，２４′に軸方向に配列され、垂直状態と水平状態との間の約９０°の範囲内で回動するように設置されるようにしている。それ故に、ステイ２２がヘッドレストを直立姿勢にさせるためにヒンジピンを支点として回転されると、ハウジング１０の両側壁１１に形成された案内溝１２の上部に置かれるステイの水平部２２２が、その狭い下部に進入させてそこに滞在させる。ステイの水平部は、ヘッドレストを屈んだ状態に置くために案内溝から離脱させる。案内溝の上部の可変幅と案内溝の下部の深さとは望ましくはヒンジ片の軸孔内に固定されたヒンジピンを支点として回転する水平部の軌跡と一致するように形成される。しかしながら、ステイにヒンジ片を取り付ける際での、またはヒンジ片の軸孔をヒンジ孔と整列する際での若干のずれでさえ、水平部が案内溝の狭い下部に適切に下げられることを困難にしている。この問題を解決するために、案内溝の下部は、ステイの水平部の直径より大きな幅と、通常必要とされるものより大きい深さとを持つように一般的には形成されている。しかしながら、このような構成により、上述のようなヒンジ片に関連されるずれがない場合には、ステイの水平部が案内溝の底部に到達せず両者の間に隙間ｇを残してもよく、そのためにステイが案内溝の底部の上方で揺動してもよい。これにより、揺動防止手段を設けられた装置が必要とされる。
【００７２】
本実施形態の揺動防止ブラケット１０ｂは、その上面が案内溝１２の底部と同じ高さにまたは僅かに下に位置決めされるように配置される。さらに、それぞれの案内溝の底部と、ステイ２２の水平部２２２が案内溝に正常に進入した後に停止される位置との間の隙間を勘案して、適切な厚さを持った弾性部材１０１が、ゴム、合成ゴム、またはバネなどの弾性材料で形成され、揺動防止部材の上面に設けられる。下がった水平部が案内溝の底部に接近し弾性部材を押圧すると、弾性部材の弾性力が水平部を支持するように働き、それにより案内溝の底部と水平部との間に隙間ｇがある場合でさえそれが揺動されるのが防止される。
【００７３】
一方、第１、第２実施形態における制動部材および抑制部材を第３実施形態における制動部材３０および抑制部材４０として使用できる。抑制部材の結束片４５に接続された解除ワイヤー４０ｂがそれを通過するようにハウジング１０の底部１５ｂに形成された開口１６の位置は、第１、第２実施形態のもと異なっていてもよい。
【００７４】
ヘッドレストが垂直状態と水平状態との間の約９０°の範囲内で回動される公的な実施形態に関して本発明は記述されたが、制動部材と抑制部材との相互の係合状態を変えることによって回動角度が変わってもよい。
【００７５】
また、シートを折曲するためのレバーに接続される解除ワイヤーの一例として制御手段が記述されたが、解除ワイヤーは、シートの側面または底面に露出されるように設けられてもよいし、または、解除レバーに置き換えられるように設けられてもよい。
【００７６】
本発明は好適な実施形態に関しての一例として記述されたが、本発明の請求の範囲はそれに限定されず添付の請求項によってのみ限定されてもよい。
【産業上の利用可能性】
【００７７】
本発明に係る、自動車用ヘッドレストを屈める装置は、使用にとって非常に便利である。その理由は、車両用シートの背もたれがシートクッション上で折曲されると、ヘッドレストが容易に屈められ自動車内のフロントシートの背もたれの上端によって引っ掛けられず、そのために、ヘッドレストによって阻害されずにシートを容易に折曲可能になる。
【００７８】
また、本発明に係る、自動車用ヘッドレストを屈める装置は、車両用シートの背もたれを折曲するためにシート全体またはヘッドレストの取り外しが必要とされないので、ヘッドレストが紛失され、汚損され、傷つけられるのを防止することができる。
【００７９】
さらに、本発明に係る、自動車用ヘッドレストを屈める装置は、ヘッドレストが揺動する問題なく便利に使用可能である。
【図面の簡単な説明】
【００８０】
【図１】本発明に係る、自動車用ヘッドレストを屈める装置が適用される自動車用シートの例を概略的に示す側面図である。
【図２】本発明の第１実施形態に係る、自動車用ヘッドレストを屈める装置の分解斜視図である。
【図３】図２の装置のハウジングの拡大分解斜視図である。
【図４】図２の装置の制動部材およびチェック部材の拡大分解斜視図である。
【図５】図２の装置の組立状態を示す背面図である。
【図６】図２の装置の作動状態を示す側面図である。
【図７】図２の装置の作動状態を示す側面図である。
【図８】図２の装置の作動状態を示す側面図である。
【図９】図２の装置の作動状態を示す側面図である。
【図１０】本発明の第１実施形態の変形例に係る、自動車用ヘッドレストを屈める装置を示す背面図である。
【図１１】本発明の第１実施形態の変形例に係る、自動車用ヘッドレストを屈める装置を示す背面図である。
【図１２】本発明の第２実施形態に係る自動車用ヘッドレストを屈める装置の必須部分の分解斜視図である。
【図１３】図１２の装置の動作を示す側面図である。
【図１４】図１２の装置の動作を示す側面図である。
【図１５】図１２の装置の動作を示す側面図である。
【図１６】本発明の第３実施形態に係る、自動車用ヘッドレストを屈める装置の斜視図である。
【図１７】図１６の装置の動作を示す側面図である。
【図１８】図１６の装置の動作を示す側面図である。
【図１】
2007534554.tif 000003
【図２】
2007534554.tif 000004
【図３】
2007534554.tif 000005
【図４】
2007534554.tif 000006
【図５】
2007534554.tif 000007
【図６】
2007534554.tif 000008
【図７】
2007534554.tif 000009
【図８】
2007534554.tif 000010
【図９】
2007534554.tif 000011
【図１０】
2007534554.tif 000012
【図１１】
2007534554.tif 000013
【図１２】
2007534554.tif 000014
【図１３】
2007534554.tif 000015
【図１４】
2007534554.tif 000016
【図１５】
2007534554.tif 000017
【図１６】
2007534554.tif 000018
【図１７】
2007534554.tif 000019
【図１８】
2007534554.tif 000020
【国際調査報告】
2007534554.tif 000021